(57)【要約】【課題】既に第１弾性部材上に設置されている支持ボルトへ、簡単に第２弾性体を取付けることの可能な床支持具及び床構造を提供する。【解決手段】支持ボルト２０は、挿入部２０Ａ、フランジ部２０Ｂ、大径係合部２１、小径部２２、及び先端係合部２３、を備え、これらは一体的に構成されている。フランジ部２０Ｂは、挿入部２０Ａの上側に形成されており、クッションゴム１８の上面と略同径の円板状とされている。フランジ部２０Ｂは、クッションゴム１８の上面（床スラブ１２側の面と反対側の面）に固着されている。フランジ部２０Ｂの上面には、大径係合部２１が形成されている。大径係合部２１は、支持ボルト２０と同軸の円柱状とされ、外周に雄ネジが形成されている。大径係合部２１の外径をＤ１とする。先端係合部２３は、支持ボルト２０の先端側（挿入部２０Ａと逆側端部）に形成されている。【選択図】図２
2010037799.tif 000002
【特許請求の範囲】
【請求項１】
床スラブ上に配置され、弾性変形可能であって振動を減衰させる第１弾性部材と、
前記第１弾性部材上に支持され、前記第１弾性部材と反対側へ延びて床材を支持し、先端側に前記床材側と係合される先端係合部が構成されると共に、前記第１弾性部材側に前記先端係合部よりも大径の大径係合部の構成された支持ボルトと、
前記第１弾性部材又は前記支持部材に支持され、弾性変形可能であって振動を減衰させる第２弾性部材と、
前記支持ボルトの前記先端係合部よりも大径で、かつ、前記大径係合部を挿入可能な貫通穴が構成され、前記大径係合部に固定されると共に前記第２弾性部材に固着された取付部材と、
前記第２弾性部材に支持され、前記前記第２弾性部材の弾性変形によって変位して振動を減衰させる質量体と、
を備えた床支持具。
【請求項２】
前記大径係合部の外周には雄ネジが構成されると共に、前記貫通穴の内壁には前記雄ネジに螺合可能な雌ネジが構成されていること、を特徴とする請求項１に記載の床支持具。
【請求項３】
前記支持ボルトに前記螺合され、前記取付部材を前記床材側から前記第１弾性部材との間に固定するナット部材を備え、
前記支持ボルトの外周の、前記取付部材を固定する時に前記ナット部材が配置される位置には、前記ナット部材が螺合される雄ネジが構成されていること、を特徴とする請求項１または請求項２に記載の床支持具。
【請求項４】
床スラブと、
前記床スラブ上に配置された請求項１〜３のいずれか１項に記載の床支持具と、
を備えた床構造。
【発明の詳細な説明】
【技術分野】
【０００１】
本発明は、支持部材を介して二重床とされた床構造、及び二重床の床材を支持する床支持具に関する。
【背景技術】
【０００２】
床構造においては、床衝撃音の遮断性能を向上させるために、支持部材を介して床基盤上から所定の高さに床を設ける二重床構造とする場合がある。このような二重床構造では、例えば、特許文献１に記載のように、弾性体と質量体を用いて床からの振動を減衰させる技術が開示されている。
【０００３】
特許文献１に記載の床支持具に、床からの振動を減衰させることができるが、特許文献１に記載された床支持具では、支持ボルトと中間受け部材との係合は、中間受け部材の挿入穴に支持ボルトの底部を中間受け部材の上側から差し込むことにより行っている。しかしながら、支持ボルトが既に第１弾性部材上に立設されていて、この状態の支持ボルトへ第２弾性体、質量体を後から取り付ける場合には、取付け用の部材を支持ボルトの先端側から基端側まで移動させなければならない。このとき、支持ボルトの先端部から基端部まで雄ネジが構成されていると、取付け用の部材を螺合させつつ長距離移動させなければならず、取付けに手間がかかる。
【特許文献１】特開２００７−０４００９３号公報
【発明の開示】
【発明が解決しようとする課題】
【０００４】
本発明は、上記事実を考慮してなされたものであり、既に第１弾性部材上に設置されている支持ボルトへ、簡単に第２弾性体を取付けることの可能な床支持具及び床構造を提供することを課題とする。
【課題を解決するための手段】
【０００５】
請求項１に記載する本発明の床支持具は、床スラブ上に配置され、弾性変形可能であって振動を減衰させる第１弾性部材と、前記第１弾性部材上に支持され、前記第１弾性部材と反対側へ延びて床材を支持し、先端側に前記床材側と係合される先端係合部が構成されると共に、前記第１弾性部材側に前記先端係合部よりも大径の大径係合部の構成された支持ボルトと、前記第１弾性部材又は前記支持部材に支持され、弾性変形可能であって振動を減衰させる第２弾性部材と、前記支持ボルトの前記先端係合部よりも大径で、かつ、前記大径係合部を挿通可能な貫通穴が構成され、前記大径係合部に固定されると共に前記第２弾性部材に固着された取付部材と、前記第２弾性部材に支持され、前記前記第２弾性部材の弾性変形によって変位して振動を減衰させる質量体と、を備えている。
【０００６】
請求項１に記載する床支持具では、取付部材と第２弾性部材とは固着されている。そして、取付部材には、支持ボルトの先端係合部よりも大径で、かつ、大径係合部を挿通可能な貫通穴が構成されている。取付部材を支持ボルトに固定させる際には、支持ボルトの先端側から取付部材を外挿して、大径係合部側へ移動させる。このとき、貫通穴の径は、支持ボルトの先端係合部よりも大径なので、取付部材を大径係合部まで、容易に移動させることができる。また、大径係合部の径は先端係合部よりも大径とされているので、大径係合部の外周と貫通穴とを容易に固定することができる。
【０００７】
請求項２に記載する本発明の床支持具は、前記大径係合部の外周に雄ネジが構成されると共に、前記貫通穴の内壁に前記雄ネジに螺合可能な雌ネジが構成されていること、を特徴とする。
【０００８】
このように、雄ネジと雌ネジとを構成することによって、大径係合部の外周と取付部材とを容易に係合させることができる。
【０００９】
請求項３に記載する本発明の床支持具は、前記支持ボルトに前記螺合され、前記取付部材を前記床材側から前記第１弾性部材との間に固定するナット部材を備え、前記支持ボルトの外周の、前記取付部材を固定する時に前記ナット部材が配置される位置には、前記ナット部材が螺合される雄ネジが構成されていること、を特徴とする。
【００１０】
このように、支持ボルトの外周にナット部材と螺合可能な雌ネジを構成することにより、ナット部材を用いて取付部材を第１弾性部材との間に確実に固定することができる。
【００１１】
なお、ナット部材の内径は、先端係合部の外径に対応するサイズであっても、大径係合部の雄ネジに対応するサイズであってもよい。
【００１２】
請求項４に記載する床構造は、床スラブと、前記床スラブ上に配置された請求項１〜３のいずれか１項に記載の床支持具と、を備えている。
【００１３】
請求項４の床構造によれば、第１弾性部材上に支持された状態の支持ボルトに、取付部材を用いて容易に第２弾性部材を固定することができる。
【発明の効果】
【００１４】
以上説明したように、本発明の床支持具及び床構造によれば、取付部材を大径係合部まで容易に移動させることができ、大径係合部の外周と貫通係合穴とを容易に係合させることができる。
【発明を実施するための最良の形態】
【００１５】
［第１実施形態］
【００１６】
本発明における床支持具、及び、この床支持具が適用される床構造の実施形態を図面に基づき説明する。なお、図中の矢印ＵＰは床構造における上方向を示す。
【００１７】
図１に示される床構造１０は、主に集合住宅に用いられる二重床（乾式遮音二重床）の構造であり、上階で発せられて階下に伝播する床衝撃音（歩行音、物の落下音、子供の飛び跳ね等）を低減させるための構造である。
【００１８】
（床構造及び床支持具の構成）
【００１９】
図１に示されるように、床構造１０は、躯体床となるコンクリート製の床スラブ１２と上床材１４との間に、所定の間隔で複数本並べられた床支持具１６を介在させており、床支持具１６の介在によって床スラブ１２と上床材１４との間に空間を形成して遮音効果を得る状態としている。
【００２０】
なお、本実施形態の上床材１４は、下地パネル１４Ａを備えると共に、下地パネル１４Ａ上に捨張材１４Ｂを設け、その上にさらに仕上げ材１４Ｃを設けた積層構造となっている。ここで、仕上げ材１４Ｃを除いた上床材１４（下地パネル１４Ａ及び捨張材１４Ｂ）、及び、床支持具１６が床下地材である。
【００２１】
なお、捨張材１４Ｂは、必ずしも必要ではなく、捨張材１４Ｂを除いた構成とすることもできる。
【００２２】
図２に示されるように、床支持具１６は、第１弾性部材としてのクッションゴム１８、支持部材としての支持ボルト２０、第２弾性部材としてのクッション台座２６、及び質量体４０を備えている。
【００２３】
クッションゴム１８は、床スラブ１２上に配置されている。クッションゴム１８は、円筒状とされており、上床材１４からの振動を減衰させるために、床スラブ１２上に支持されるものであり、弾性変形可能とされる。
【００２４】
クッションゴム１８上には、支持ボルト２０が直立状態で支持されている。支持ボルト２０は、挿入部２０Ａ、フランジ部２０Ｂ、大径係合部２１、小径部２２、及び先端係合部２３、を備え、これらは一体的に構成されている。
【００２５】
挿入部２０Ａは、支持ボルト２０の下端部に形成されており、クッションゴム１８の筒内側に挿入されて筒穴の中間部に係合されている。フランジ部２０Ｂは、挿入部２０Ａの上側に形成されており、クッションゴム１８の上面と略同径の円板状とされている。フランジ部２０Ｂは、クッションゴム１８の上面（床スラブ１２側の面と反対側の面）に固着されている。
【００２６】
フランジ部２０Ｂの上面には、大径係合部２１が形成されている。大径係合部２１は、支持ボルト２０と同軸の円柱状とされ、外周に雄ネジが形成されている。大径係合部２１の外径をＤ１とする。先端係合部２３は、支持ボルト２０の先端側（挿入部２０Ａと逆側端部）に形成されている。先端係合部２３は、大径係合部２１よりも小径とされ、外周に雄ネジが形成されている。先端係合部２３の外径をＤ２とする。小径部２２は、先端係合部２３と大径係合部２１の間に配置され、先端係合部２３と同径とされている。なお、本願では、小径部２２に雄ネジは形成されていないが、小径部２２には、雄ネジが形成されていてもよい。
【００２７】
下地パネル１４Ａの下側には、下地パネル１４Ａを支持するように、支持パネル１５が配置されている。支持パネル１５は正方形板状とされ、中央部に調整孔１５Ａが構成されている。この調整孔１５Ａに支持ボルト２０の先端係合部２３が配置される。
【００２８】
支持ボルト２０は、クッションゴム１８と反対側、すなわち、床スラブ１２と反対方向へ延びて、パネル受け部材２４及び支持パネル１５を介して上床材１４を支持するようになっている。パネル受け部材２４は、円筒状の円筒部２４Ｂと、円筒部２４Ｂの一方の開口部から外側へ向けて突き出した鍔部２４Ａを備える。パネル受け部材２４の円筒部２４Ｂは、支持パネル１５の調整孔１５Ａ内に挿入されて固着され、鍔部２４Ａの上面（上床材１４側へ向けられた面）が支持パネル１５の下面（床スラブ１２と対向する側の面）に固着される。パネル受け部材２４の円筒部内周面には、雌ネジ部２４Ｃが形成され、この雌ネジ部２４Ｃには、支持ボルト２０の軸部に形成された雄ネジ部２２Ｂが螺合される。クッションゴム１８、支持ボルト２０、及び、支持パネル１５により、上床材１４は、床スラブ１２との間に間隔をもって配置される。
【００２９】
支持ボルト２０の先端部には、マイナスドライバを差し込むための凹部２０Ｍが形成されており、上床材１４の下地パネル１４Ａに捨張材１４Ｂ、仕上げ材１４Ｃが載せられる前の状態において、マイナスドライバを支持ボルト２０の凹部２０Ｍに差し込んで支持ボルト２０を回転させることによって、床スラブ１２からの下地パネル１４Ａの高さを調節することができるようになっている。
【００３０】
支持ボルト２０のフランジ部２０Ｂの上面には、取付部材２５が配置されている。取付部材２５は、図３にも示すように、円筒部２５Ａ及び底面部２５Ｂにより一体的に構成されている。円筒部２５Ａは、円筒状とされ、筒中央に貫通係合孔２５Ｈが構成されている。貫通係合孔２５Ｈの内径は大径係合部２１と同径とされて筒内壁に大径係合部２１の雄ネジと螺合可能な雌ネジが形成されている。底面部２５Ｂは、円筒部２５Ａの一端側に筒外周から径方向外側に張り出されたフランジ形状とされている。取付部材２５は、底面部２５Ｂ側が支持ボルト２０のフランジ部２０Ｂ上面に配置される。
【００３１】
取付部材２５の、底面部２５Ｂ上には、クッション台座２６が接着されている。クッション台座２６と取付部材２５との接着は、加硫接着によって行うことができる。クッション台座２６は、円筒状とされて中央に挿入孔２６Ａが構成されている。挿入孔２６Ａは、小径部２２よりも大径とされている。クッション台座２６の設置状態での上部中央には、薄肉筒状で上方へ突出した突出部２６Ｃとされている。突出部２６Ｃの内径は、挿入孔２６Ａの内径と同様となっている。クッション台座２６は、上床材１４からの振動を減衰させるために、取付部材２５を介して支持ボルト２０に支持されるものであり、軟質ゴムで構成されて弾性変形可能とされる。
【００３２】
クッション台座２６の上面には、第２取付部材３８が接着されている。第２取付部材３８は、円筒状の筒部３８Ｂ、及び、クッション台座２６側に配置され、径方向外側へ延びるフランジ部３８Ａを備えている。フランジ部３８Ａは、クッション台座２６の上向き面２６Ｄの上に配置され、クッション台座２６の上向き面２６Ｄ及び突出部２６Ｃの外側は、第２取付部材３８と加硫接着されている。筒部３８Ｂの外周部には、雄ネジ３８Ｃが形成されている。
【００３３】
質量体４０は円柱形状で、設置状態での下面４０Ａの中央部に凹部４２が構成されている。凹部４２は、質量体４０の中心軸と同軸の円柱状として構成されている。凹部４２の径は、クッション台座２６及びクッションゴム１８の上側よりも大径とされており、凹部４２の深さは、クッション台座２６の突出部２６Ｃを除いた高さよりも長く構成されている。
【００３４】
質量体４０には、凹部４２の中央部から質量体４０の上面４０Ａ側にかけて、支持孔４２Ａが構成されている。支持孔４２Ａの内側には、雌ネジが構成されており、第２取付部材３８の雄ネジ３８Ｃと螺合される。これにより、第２取付部材３８を介して質量体４０がクッション台座２６上に支持される。質量体４０によって、クッション台座２６には、圧縮方向の荷重が作用している。
【００３５】
上記の設置状態において、クッション台座２６は、凹部４２内に収納されており、質量体４０の下面４０Ａは、凹部４２がクッションゴム１８の側面の一部を覆う位置に配置されている。
【００３６】
質量体４０は、クッション台座２６の弾性変形によって変位して上床材１４からの振動を減衰させるようになっており、クッション台座２６及び質量体４０は、上床材１４から床スラブ１２への振動に対して動吸振器として機能する。
【００３７】
（本実施形態の施工手順）
【００３８】
次に、図２に示される床支持具１６を用いて二重床の床構造１０を構成する際の施工手順について説明する。
【００３９】
まず、図４に示すように、クッションゴム１８の筒孔に支持ボルト２０の挿入部２０Ａを挿入する。また、加硫により互いに接着して一体化された取付部材２５、クッション台座２６、及び、第２取付部材３８に、質量体４０を取り付ける。取り付けは、質量体４０の支持孔４２Ａへ第２取付部材３８の筒部３８Ｂを螺合させることにより行う。また、パネル受け部材２４の円筒部２４Ｂを、支持パネル１５の調整孔１５Ａへ圧入し、鍔部２４Ａ上に支持パネル１５を配置して、パネル受け部材２４に支持パネル１５を固着する。
【００４０】
次に、クッションゴム１８を下にして、支持ボルト２０を床スラブ１２上に設置する。そして、取付部材２５、クッション台座２６、第２取付部材３８、及び、質量体４０のセットを、支持ボルト２０へ挿通して取り付ける。取り付けは、取付部材２５の底面部２５Ｂ側から支持ボルト２０へ外挿して、大径係合部２１まで移動させる（図５（Ａ）参照）。このとき、クッション台座２６の挿入孔２６Ａ及び取付部材２５の貫通孔２５Ｈの内径は、小径部２２の外径よりも大きいので、容易に移動させることができる。その後、取付部材２５を大径係合部２１へ回し入れて両者を螺合させ、底面部２５Ｂをフランジ部２０Ｂの上面に接合させる（図５（Ｂ）参照）。
【００４１】
次に、支持ボルト２０の先端係合部２３の雄ネジをパネル受け部材２４の雌ネジ部２４Ｃに螺合させ、支持パネル１５上に下地パネル１４Ａを敷設する。ここで、マイナスドライバを支持ボルト２０の凹部２０Ｍに差し込んで支持ボルト２０を回転させることによって、床スラブ１２からの下地パネル１４Ａの高さを調節する。
【００４２】
次に、下地パネル１４Ａ上に捨張材１４Ｂが敷設され、捨張材１４Ｂ上に仕上げ材１４Ｃが敷設される。このようにして、二重床の床構造１０が構成される。
【００４３】
本実施形態によれば、支持ボルト２０の先端係合部２３、小径部２２の外径が、取付部材２５の貫通係合孔２５Ｈの内径、クッション台座２６の挿入孔２６Ａの内径よりも小径とされているので、取付部材２５、クッション台座２６、第２取付部材３８、及び、質量体４０のセットを、容易に支持ボルト２０の大径係合部２１まで移動させることができる。
【００４４】
上記のように構成された床構造１０の上床材１４上で発せられた床衝撃音（例えば、歩行音等）の振動は、上床材１４からパネル受け部材２４、支持ボルト２０、及び、取付部材２５を介してクッション台座２６へ伝わる。これによって、クッション台座２６が弾性変形し、質量体４０が振動を吸収するように上下動することで、振動を減衰させることができる。
【００４５】
［第２実施形態］
【００４６】
次に、本発明の第２実施形態について説明する。本実施形態では、第１実施形態と同一の部分については、同一の符号を付して、その詳細な説明は省略する。
【００４７】
（床構造及び床支持具の構成）
【００４８】
図６に示すように、本実施形態の床支持具５０は、支持ボルトの大径係合部の構成、取付部材の構成が第１実施形態と異なる。また、ナット６８を備えている点が、第１実施形態と異なっている。
【００４９】
本実施形態の取付部材５５は、円筒部５５Ａ及び底面部５５Ｂで構成されている。底面部５５Ｂは、第１実施形態の底面部２５Ａと同一構成であり、円筒部５５Ａは、第１実施形態の円筒部２５Ａよりも上方へ長尺とされ、上端面が第２取付部材３８の上端面と略同じ位置にまで達する長さとされている。円筒部５５Ａの貫通孔５５Ｈは、後述する支持ボルト６０の大径挿入部６１と略同径か、僅かに大径とされている。貫通孔５５Ｈの径をＤ３とする。
【００５０】
支持ボルト６０は、挿入部６０Ａ、フランジ部６０Ｂ、大径挿入部６１、係合ネジ部６６、小径部６２、及び先端係合部６３、を備え、これらは一体的に構成されている。挿入部６０Ａ、小径部６２、及び、先端係合部６３の構成は、第１実施形態の挿入部２０Ａ、フランジ部６０Ｂ、小径部２２、及び、先端係合部２３と同一である。大径挿入部６１は、フランジ部６０Ｂの上側に構成され、貫通孔５５Ｈと略同径、略同一長とされている。係合ネジ部６６及び小径部６２の外径Ｄ４は、大径挿入部６１の外径Ｄ３よりも小径とされている。大径挿入部６１の外周には、雄ネジは構成されていない。大径挿入部６１の上側には、係合ネジ部６６が構成されている。係合ネジ部６６は、大径挿入部６１と同径とされ、外周に雄ネジが形成されている。
【００５１】
ナット６８は、外径が取付部材５５の円筒部５５Ａの外径よりも大径とされ、内径が支持ボルト６０の小径部６２よりも大径とされている。ナット６８は、係合ネジ部６６に螺合可能とされている。
【００５２】
（本実施形態の施工手順）
【００５３】
次に、図６に示される床支持具５０を用いて二重床の床構造７０を構成する際の施工手順について説明する。
【００５４】
まず、図７に示すように、クッションゴム１８の筒孔に支持ボルト６０の挿入部６０Ａを挿入する。また、加硫により互いに接着して一体化された取付部材５５、クッション台座２６、及び、第２取付部材３８に、質量体４０を取り付ける。取り付けは、第１実施形態と同様にして行う。また、パネル受け部材２４の支持パネル１５への取り付けも、第１実施形態と同様にして行う。
【００５５】
次に、クッションゴム１８を下にして、支持ボルト６０を床スラブ１２上に設置する。そして、取付部材５５、クッション台座２６、第２取付部材３８、及び、質量体４０のセットを、支持ボルト６０へ挿通して取り付ける。取り付けは、取付部材５５の底面部５５Ｂ側から支持ボルト６０へ外挿して、取付部材５５の底面部５５Ｂをフランジ部６０Ｂの上面に載せる。（図８（Ａ）参照）。このとき、取付部材５５の貫通孔５５Ｈの内径は、小径部６２の外径よりも大きいので、容易に移動させることができる。その後、ナット６８を支持ボルト６０の先端係合部６３側から外挿して、係合ネジ部６６に螺合させ、取付部材５５上側から押圧して、取付部材５５をフランジ部６０Ｂとの間に挟み込んで固定する。（図８（Ｂ）参照）。
【００５６】
次に、支持ボルト６０の先端係合部６３の雄ネジをパネル受け部材２４の雌ネジ部２４Ｃに螺合させ、支持パネル１５上に下地パネル１４Ａを敷設する。ここで、マイナスドライバを支持ボルト２０の凹部２０Ｍに差し込んで支持ボルト２０を回転させることによって、床スラブ１２からの下地パネル１４Ａの高さを調節する。
【００５７】
次に、下地パネル１４Ａ上に捨張材１４Ｂが敷設され、捨張材１４Ｂ上に仕上げ材１４Ｃが敷設される。このようにして、二重床の床構造１０が構成される。
【００５８】
本実施形態によれば、支持ボルト６０の先端係合部６３、小径部６２の外径が、取付部材５５の貫通係合孔５５Ｈの内径よりも小径とされているので、取付部材５５、クッション台座２６、第２取付部材３８、及び、質量体４０のセットを、容易に支持ボルト６０のフランジ部６０Ｂまで移動させることができる。
【００５９】
なお、本実施形態では、大径挿入部６１と係合ネジ部６６の外径を同一としたが、係合ネジ部６６の外径は、大径挿入部６１の外径よりも小径であってもよい。係合ネジ部６６の外径を、大径挿入部６１の外径よりも小径とすることにより、取付部材５５の係合ネジ部６６の通過を容易にすることができる。
【００６０】
また、上記第１、第２実施形態では、質量体の形状を凹部の構成された円筒形状とした例について説明したが、質量体の形状は、この形状に限定されるものではない。例えば、支持ボルトを中心に、複数に分割された円形状、板形状、棒状などの他の形状であってもよい。
【図面の簡単な説明】
【００６１】
【図１】第１実施形態に係る床構造及び床支持具の縦断面を示す断面図である。
【図２】第１実施形態の床支持具を拡大した拡大断面図である。
【図３】第１実施形態に係る床支持具の、質量体取付前の斜視図である。
【図４】第１実施形態に係る床支持具の、質量体取付前の側断面図である。
【図５Ａ】第１実施形態に係る床支持具の取付部材、クッション台座、質量体が大径係合部に係合される前の側断面図である。
【図５Ｂ】第１実施形態に係る床支持具の取付部材、クッション台座、質量体が大径係合部に係合された状態の側断面図である。
【図６】第２実施形態の床支持具を拡大した拡大断面図である。
【図７】第２本実施形態に係る床支持具の、質量体取付前の側断面図である。
【図８Ａ】第２実施形態に係る床支持具の取付部材、クッション台座、質量体が大径係合部に係合される前の側断面図である。
【図８Ｂ】第２実施形態に係る床支持具の取付部材、クッション台座、質量体が大径係合部に係合された状態の側断面図である。
【符号の説明】
【００６２】
１０   床構造
１４   上床材
１５   支持パネル
１６   床支持具
１８   クッションゴム
２０Ｂ フランジ部
２０   支持ボルト
２０Ａ 挿入部
２１   大径係合部
２２   小径部
２２Ｂ 雄ネジ部
２３   先端係合部
２５   取付部材
２６   クッション台座
３８   取付部材
４０   質量体
５０   床支持具
５５   取付部材
６０   支持ボルト
６１   大径挿入部
６２   小径部
６３   先端係合部
６６   係合ネジ部
６８   ナット
７０   床構造
【図１】
2010037799.tif 000003
【図２】
2010037799.tif 000004
【図３】
2010037799.tif 000005
【図４】
2010037799.tif 000006
【図５Ａ】
2010037799.tif 000007
【図５Ｂ】
2010037799.tif 000008
【図６】
2010037799.tif 000009
【図７】
2010037799.tif 000010
【図８Ａ】
2010037799.tif 000011
【図８Ｂ】
2010037799.tif 000012